(57)【特許請求の範囲】
【請求項１】
電子回路が内蔵された外筐体と、
上記電子回路を覆うように開閉自在に設けられた蓋体と、
上記蓋体の上記電子回路と対向する主面部に形成された凹部と、
蓋体に対向する側の主面部に電子素子が設けられ、当該電子素子が上記凹部内に収納されるように上記蓋体の上記凹部が形成された主面部に取り付けられた電子回路基板と、
上記凹部の周囲部に上記外筐体の内方側に向けて突出形成されたリブと、
上記リブに一体的に突設された電子回路基板受け突起と
を備えた携帯用電子機器。
【発明の詳細な説明】
【０００１】
【産業上の利用分野】
本発明は、例えば、テーププレーヤ装置、ディスクプレーヤ装置やラジオ受信装置の如き、携帯用電子機器に関する。
【０００２】
【従来の技術】
従来、例えば磁気テープを記録媒体として用いたテーププレーヤ装置、光ディスクを記録媒体として用いたディスクプレーヤ装置、あるいは、ラジオ受信装置等の電子機器においては、装置構成を小型化し、携帯が可能なように構成された携帯用電子機器が提案されている。
【０００３】
このような携帯用電子機器は、本体部が、例えば、ワイシャツの胸ポケットに収納できる程度の大きさとなされて構成されている。
【０００４】
そして、このような携帯用電子機器においては、上記記録媒体の装着操作のために開閉操作される蓋体の内側部に、プリント回路基板が取り付けられているものがある。
【０００５】
このプリント回路基板は、テーププレーヤ装置やディスクプレーヤ装置において設けられており、例えば、ラジオ受信部を構成するチューナ基板である。すなわち、このプリント回路基板は、上記テーププレーヤ装置の如き記録再生装置に、ラジオ受信の機能を付加して、このテーププレーヤ装置をいわゆるラジオチューナ付きテーププレーヤ装置とするためのものである。
【０００６】
このプリント回路基板は、図２７に示すように、上記蓋体となるカセット蓋１１９の裏面部に取り付けられている。上記カセット蓋１１９は、合成樹脂材料により形成され、充分な剛性を有するためには、１．５ｍｍ程度の厚さが必要である。上記プリント回路基板１２０は、エポキシ樹脂の如き耐高温性を有する合成樹脂により形成され、厚さは０．５ｍｍ程度である。
【０００７】
そして、上記プリント回路基板１２０に取り付けられる種々の電子素子１２２が占める厚さ方向の距離は、２．７ｍｍ程度である。すなわち、図２７中矢印Ｓで示す、上記プリント回路基板１２０とこのプリント回路基板１２０を覆うカバー板１２１との間の距離としては、２．７ｍｍ程度を確保しておく必要がある。そして、このカバー板１２１は、塩化ビニール樹脂の如き合成樹脂材料により形成され、０．４ｍｍ程度の厚みを有している。
【０００８】
このように、上記カセット蓋１１９、上記プリント回路基板１２０、上記電子素子１２２、及び、上記カバー板１２１が順次積層されて構成された蓋部分の全体の厚さは、５．２ｍｍ程度となる。
【０００９】
【発明が解決しようとする課題】
ところで、上述のような携帯用電子機器において、上記蓋部分の厚さが５．２ｍｍであり、この蓋部分の厚さをさらに薄くすることができないとすると、この携帯用電子機器全体の一層の充分な薄型化を図ることはできない。
【００１０】
そこで、本発明は、上述の実情に鑑みて提案されるものであって、記録媒体を装着操作するための蓋体を有し、この蓋体の内側面部に電子回路基板を有しながらも、これら蓋体及び電子回路基板を有する蓋部の厚みが薄くなされることにより、薄型化が実現されることとなされた携帯用電子機器を提供することを目的とする。
【００１１】
【課題を解決するための手段】
上述の課題を解決し上記目的を達成するため、本発明に係る携帯用電子機器は、電子回路が内蔵された外筐体と、電子回路を覆うように開閉自在に設けられた蓋体と、蓋体の電子回路と対向する主面部に形成された凹部と、蓋体に対向する側の主面部に電子素子が設けられ当該電子素子が凹部内に収納されるように蓋体の凹部が形成された主面部に取り付けられた電子回路基板と、凹部の周囲部に外筐体の内方側に向けて突出形成されたリブと、このリブに一体的に突設された電子回路基板受け突起とを備えたものである。
【００１２】
【作用】
本発明に係る携帯用電子機器は、外筐体に内蔵された電子回路を覆うように開閉自在に設けられた蓋体の該電子回路と対向する主面部に凹部が形成されており、蓋体に対向する側の主面部に電子素子が設けられ蓋体の凹部が形成された主面部に取り付けられた電子回路基板は、当該電子素子を凹部内に収納させており、さらに、凹部の周囲部には、電子回路基板受け突起が一体的に突設されたリブが外筐体の内方側に向けて突出形成されているので、蓋体の剛性を維持しつつ、蓋体より電子回路基板までの厚さを、これら蓋体、電子素子及び電子回路基板の厚みの総計よりも薄くすることができる。
【００１３】
【実施例】
以下、本発明の具体的な実施例を図面を参照しながら説明する。
【００１４】
この例は、本発明を、テープカセットを使用して音響信号の再生を行う音響再生装置に適用した例である。この例について以下の順序により説明する。
【００１５】
［１］音響再生装置の構成の概要（図１、図３、図４、図９及び図１８）
［２］スライダ板の構成（図１及至図８）
［３］前面パネル部の補強（図４及至図６、図１０及至図１５）
［４］スイッチ操作釦の構成（図１０、図１２及至図１５）
［５］カセット蓋部の構成（図１及至図４、図１８及至図２０）
［６］シャーシ部の構成（図２１及至図２５）
［７］チューナ基板の取り付け（図１６及び図１７）
なお、本発明は、以下に述べる実施例の如き音響再生装置のみならず、種々の携帯用電子機器、例えば、音響記録及び再生装置（テープレコーダ装置、または、ディスクプレーヤ装置）、ラジオ受信装置、テレビジョン受像機、ビデオテープレコーダ装置、ビデオカメラ装置等にも適用することができるものである。
【００１６】
［１］音響再生装置の構成の概要（図１、図３、図４、図９及び図１８）
この音響再生装置は、図１に示すように、本体部１を有して構成されている。この本体部１は、外筺体を有して構成されている。この外筐体は、シャーシ部２と、このシャーシ部２の前面側に取付けられた前面パネル部３と、該シャーシ部２の後面側に取付けられた蓋体となるカセット蓋部４とを有して構成されている。
【００１７】
上記前面パネル部３は、上記シャーシ部２に対し、ネジ止め等の手段により固定して取付けられている。これらシャーシ部２及び前面パネル部３は、上記外筐体の本体部を構成している。
【００１８】
上記カセット蓋部４は、図９及び図１８に示すように、上記シャーシ部２に対し一側側をカセット蓋支軸８７を介して回動可能に支持されており、図１に示す上記シャーシ部２に突き合わせられた閉蓋位置より、図９に示す上記シャーシ部２より離間された開蓋位置に亘って、図９及び図１８中矢印Ｃで示すように、他側側を上記シャーシ部２より接離させる方向に回動可能となされている。
【００１９】
なお、上記カセット蓋部４は、上記シャーシ部２内に設けられた図示しない係止機構により、上記閉蓋位置で係止されるようになされている。そして、このカセット蓋部４は、上記シャーシ部２に設けられた係止解除レバー１０が操作されることにより、上記係止機構による係止を解除されて、他側側を該シャーシ部２より離間させることが可能となされる。
【００２０】
上記シャーシ部２と上記カセット蓋部４との間の部分は、テープカセット収納部となされている。上記シャーシ部２の後面部には、上記テープカセット収納部内に突出するように、一対のリール駆動軸４８，４９が配設されている。これらリール駆動軸４８，４９は、上記シャーシ部２に配設されるモータにより回転駆動されるとともに、上記テープカセット収納部に装着されるテープカセット１０１の一対のテープリールに対応して係合し、これらテープリールを回転操作する。
【００２１】
また、上記シャーシ部２の後面部には、上記テープカセット収納部内に突出するように、一対のキャプスタン軸５１，５１及び一対のカセット位置決めピン５０，５０が配設されている。これらカセット位置決めピン５０，５０は、上記テープカセット１０１を構成するカセットに設けられた位置決め孔に嵌入係合して、該テープカセット１０１の位置決めを行う。また、上記各キャプスタン軸５１，５１は、上記シャーシ部２に配設されるモータにより回転駆動されるとともに、上記カセットに収納された磁気テープに当接し、該磁気テープを送り操作する。
【００２２】
上記カセット蓋部４の一側側近傍には、カセットホルダ８３が設けられている。このカセットホルダ８３は、図１８に示すように、上記シャーシ部２に対してホルダ支軸８６を介して回動可能に支持されている。このホルダ支軸８６は、上記カセット蓋支軸８７に平行となされ、このカセット蓋支軸８７よりも、上記前面パネル部３側に位置して配設されている。
【００２３】
上記カセットホルダ８３は、上記カセット蓋４に略々沿うようにして、回動可能に支持されている。このカセットホルダ８３は、上記テープカセット１０１の前方側の両側側部分を保持するように構成されている。
【００２４】
そして、上記カセットホルダ８３には、上記テープカセット収納部内に突出するように、一対のピンチローラ５４，５４及び再生ヘッド５２が配設されている。上記再生ヘッド５２は、上記磁気テープに摺接し、該磁気テープよりの音響信号の読出しを行う。上記各ピンチローラ５４，５４は、ゴム等の摩擦係数の大きな材料により形成されており、上記各キャプスタン軸５１，５１と共働して上記磁気テープを挟持し、該キャプスタン軸５１による該磁気テープの送り操作を確実なものとする。
【００２５】
なお、上記再生ヘッド５２の両側側には、一対のテープガイド部材５３，５３が取付けられている。これらテープガイド部材５３，５３は、中央部に設けられた凹部に上記磁気テープを挿通させることにより、該磁気テープの上記再生ヘッド５２に対する走行位置を位置決めする。
【００２６】
また、上記シャーシ部２と上記カセット蓋部４とは、互いに回動可能に連結されたリンク部材５５，５６により略々中央部同士を連結されている。これらリンク部材５５，５６は、上記シャーシ部２及び上記カセット蓋部４に対しそれぞれ回動可能に取付けられており、これらシャーシ部２とカセット蓋部４との間の開き角度を規制している。
【００２７】
上記前面パネル部３の略々中央部には、図１に示すように、複数のスイッチ操作用押釦６，６・・・・６が設けられている。これらスイッチ操作用押釦６，６・・・・６は、一列に配列されて、配設されている。これらスイッチ操作用押釦６，６・・・・６は、上記本体部１内に配設された押圧スイッチを操作するための押釦であって、巻戻し（ＲＥＷ）スイッチ、早送り（ＦＦ）スイッチ、停止（ＳＴＯＰ）スイッチ及び再生スイッチ（ＰＬＡＹ）スイッチとして用いられている。
【００２８】
上記再生スイッチは、上記磁気テープを上記キャプスタン軸５１の回転速度に応じた所定の速度で送り操作して上記再生ヘッド５２による音響信号の読出しを行う再生モードを実行させるためのスイッチである。
【００２９】
上記早送りスイッチは、上記磁気テープを順方向に高速で送り操作する早送りモードを実行させるためのスイッチである。上記巻戻しスイッチは、上記磁気テープを逆方向に高速で送り操作する巻戻しモードを実行させるためのスイッチである。
【００３０】
そして、上記停止スイッチは、上記再生モード、早送りモード、または、巻戻しモードを解除し、動作を停止させるためのスイッチである。
【００３１】
上記各スイッチ操作用押釦６，６・・・・６は、図３及び図４に示すように、上記前面パネル部３の背面側に配設された釦支持板１８により支持されている。この釦支持板１８は、薄い金属板材料により形成され、上記各スイッチ操作用押釦６，６・・・・６を、可撓性を有する幅の狭い支持腕部２４を介して支持している。これらスイッチ操作用押釦６，６・・・・６は、上記前面パネル部３に形成された複数の押釦用透孔１５，１５・・・・１５に対応してこれら押釦用透孔１５，１５・・・・１５を介して前方側外方に臨んでおり、該前面パネル部３に対し出没可能に支持されている。
【００３２】
これらスイッチ操作用押釦６，６・・・・６は、押圧操作されて上記前面パネル部３の内方側に没入されると、上記シャーシ部２に配設された電子回路基板７３上の電気接点からなる押圧スイッチ（いわゆるダイヤフラムスイッチ）を投入（導通）操作するように構成されている。
【００３３】
なお、上記釦支持板１８は、上記前面パネル部３の背面部に取り付けられる後述するガイド板１７に対して取り付けられることによって、該前面パネル部３に対して支持されている。
【００３４】
この音響再生装置は、上記カセット収納部にテープカセット１０１が収納されて上記カセット蓋部４が上記閉蓋位置となされた状態で、上記再生スイッチが操作されると、該テープカセット１０１の磁気テープよりの音響信号の読出しを行う。
【００３５】
上記磁気テープより読出された音響信号は、電気信号として、上記シャーシ部２の側面部に設けられた図示しない出力ジャックに送られる。この出力ジャックは、電気−音響変換器であるヘッドホン装置５７が接続されるように構成されている。
【００３６】
このヘッドホン装置５７は、上記出力ジャックに接続される入力プラグ部６０と、この入力プラグ部６０に送電コード６１を介して接続された一対のユニット部５８，５９とを有して構成されている。このヘッドホン装置５７は、上記入力プラグ部６０が上記出力ジャックに接続されると、この入力プラグ部６０及び上記送電コード６１を介して上記一対のユニット部５８，５９に上記電気信号が供給され、これらユニット部５８，５９により上記電気信号を音響に変換する。
【００３７】
また、この音響再生装置は、上記早送りモード及び巻戻しモードにおいては、上記磁気テープを高速で送り操作して、該磁気テープ上の再生箇所を迅速に探しだすことができる。
【００３８】
［２］スライダ板の構成（図１及至図８）
そして、上記前面パネル部３には、スライダ５が、図１中矢印Ａで示すように、スライド可能に取付けられている。このスライダ板５は、金属板材料により、略々平板状に形成されており、上記前面パネル部３に対してスライドされることにより、図２に示すように、上記各スイッチ操作用押釦６，６・・・・６を覆い隠すようになされている。
【００３９】
すなわち、このスライダ板５は、図２に示す上記各スイッチ操作用押釦６，６・・・・６を覆うクローズ位置と、図１に示す該各スイッチ操作用押釦６，６・・・・６を外方に露出させるオープン位置とに亘って、スライド可能となされている。このスライダ板５のスライド可能方向は、上記各スイッチ操作用押釦６，６・・・・６の配列方向に直交する方向となされている。
【００４０】
上記スライダ板５は、図３及至図７に示すように、上記前面パネル部３の背面側に配設される押さえ板１９等とともに、スライダ部材を構成している。すなわち、上記スライダ板５は、このスライダ板５のスライド方向に対する両側部分に一対のピン挿通孔３３，３３を有しており、これらピン挿通孔３３，３３に対応して挿通させた一対のカシメピン２７，２７を、上記前面パネル部３に設けられた一対のスリット部１６，１６に対応させて挿通させている。
【００４１】
また、上記一対のスリット部１６，１６は、長手方向を上記各スイッチ操作用押釦６，６・・・・６の配列方向に直交する方向、すなわち、上記スライダ板５のスライド方向として、互いに平行に形成されている。
【００４２】
そして、上記各カシメピン２７，２７は、上記押さえ板１９に設けられた一対のピン挿通孔２８，２８に対応して挿通され、この押さえ板１９の背面側で先端側をカシメられて拡径されている。すなわち、上記スライダ板５と上記押さえ板１９とは、上記前面パネル部３を共働して挟持するようにして、互いに接合されている。
【００４３】
そして、上記押さえ板１９は、一対のガイドピン取り付け孔２９，３０を有している。これら一対のガイドピン取り付け孔２９，３０には、一対のガイドピン３１，２６が対応して植立されている。これらガイドピン３１，２６は、略々上記スライダ板５のスライド方向に配列されている。これらガイドピン３１，２６は、上記前面パネル部３の背面部に対向するようにして、前方側に突出されている。
【００４４】
一方、上記前面パネル部３の背面部には、ガイド板１７が取り付けられている。このガイド板１７は、薄い金属板材料により、平板状に形成されている。このガイド板１７には、上記各ガイドピン３１，２６に対応して、一対のガイドスリット２０，２１が形成されている。これらガイドスリット２０，２１は、上記スライダ板５のスライド方向を長手方向となして形成されている。
【００４５】
上記各ガイドピン３１，２６は、上記各ガイドスリット２０，２１に対応して嵌入されており、上記スライダ板５及び上記押さえ板１９のスライドとともに、該各ガイドスリット２０，２１内を各ガイドスリット２０，２１に案内されて移動する。
【００４６】
上記スライダ板５及び上記押さえ板１９は、上記各ガイドピン３１，２６が上記各ガイドスリット２０，２１に嵌入していることにより、スライド操作されるときに、上記スライド方向に対して傾くことが防止され、円滑にスライド操作さる。
【００４７】
そして、上記前面パネル部３の背面側には、トグルバネ２３が配設されている。このトグルバネ２３は、一方のアーム部を上記ガイド板１７に背面部に向けて突設された第１の係合ピン２２に係合させ、他方のアーム部を上記押さえ板１９に背面側に向けて突設された第２の係合ピン２５に係合させている。
【００４８】
これら各係合ピン２２，２５は、上記スライダ板５が上記クローズ位置と上記オープン位置との中間位置にあるときに、上記トグルバネ２３が最も圧縮されて該トグルバネ２３の各アーム部が接近されるような位置に設けられている。したがって、上記トグルバネ２３は、上記スライダ板５が上記クローズ位置と上記オープン位置との間にあるときには、該スライダ板５及び上記押さえ板１９を、上記クローズ位置または上記オープン位置のいずれかとなる方向に弾性付勢する。
上記スライダ板５は、表面部及び裏面部が、電着塗装プロセス（例えば、エレコートナイスロン（商品名：株式会社シミズ製））によって、含フッ素アクリル樹脂（アニオン）の塗装処理をなされ、滑性化処理されている。したがって、このスライダ板５は、上記前面パネル部３に対し、円滑にスライド操作される。
【００４９】
また、上記スライダ板５は、プレス加工により一部が前方側に向けて膨出形成されることにより、表面部に凸部８が形成されている。この凸部８は、文字や、記号、図形を示す形状として形成してもよく、また、ドット状のものとしてもよく、さらに、図８に示すように、単なる突条として形成してもよい。
【００５０】
上記スライダ板５は、上記凸部８を有していることにより、表面部における手指の滑りを防止することができ、該手指による確実なスライド操作をなされることができる。
【００５１】
この音響再生装置においては、図２及び図５に示すように、上記スライダ板５は、上記クローズ位置となされることによって、上記各スイッチ操作用押釦６，６・・・・６に対する操作を阻止し、この音響再生装置をホールド状態、すなわち、上記各スイッチ操作用押釦６，６・・・・６による動作モードの切換え及び停止が行えない状態とする。
【００５２】
このとき、上記各スイッチ操作用押釦６，６・・・・６が覆い隠されることにより、この音響再生装置がホールド状態であることが明瞭に標示される。
【００５３】
また、この音響再生装置においては、図１及び図６に示すように、上記スライダ板５は、上記オープン位置となされることによって、上記各スイッチ操作用押釦６，６・・・・６を前方側外方に露出させ、これらスイッチ操作用押釦６，６・・・・６に対する押圧操作を可能として、この音響再生装置のホールド状態を解除する。
【００５４】
このとき、上記各スイッチ操作用押釦６，６・・・・６が露出していることにより、この音響再生装置が非ホールド状態であることが明瞭に標示される。
【００５５】
なお、この音響再生装置においては、上記スライダ板５は、この音響再生装置を電気的なホールド状態、すなわち、上記各スイッチ操作用押釦６，６・・・・６が上記シャーシ部２内に配設される電子回路と電気的に遮断される状態となすスイッチを兼ねるようにしてもよい。
【００５６】
なお、この音響再生装置において、上記各スイッチ操作用押釦６，６・・・・６と並列に接続されるリモートコントロールスイッチを使用する場合には、この音響再生装置を電気的なホールド状態とすることにより、該リモートコントロールスイッチについてもホールド状態とすることができる。
【００５７】
［３］前面パネル部の補強（図４及至図６、図１０及至図１５）
上記前面パネル部３は、図４及至図６、図１０に示すように、外筐補強部材３２により、外方側からの押圧力による塑性変形を防止されている。
【００５８】
上記外筐補強部材３２は、合成樹脂材料により、略々平板形状を有して一体的に形成され、金属材料よりなる上記前面パネル部３の内側面部に接着材により取り付けられている。
【００５９】
この外筐補強部材３２は、上記外筐体の内方側に向けて突出させた複数の補強用突条部７０を有している。この外筐補強部材３２は、上記各補強用突条部７０を、上記各押釦用透孔１５の近傍に位置させている。すなわち、上記各補強用突条部７０は、上記各押釦用透孔１５同士の間に位置している。
【００６０】
なお、上記押釦用透孔１５は、前述したように、上記前面パネル部３に設けられ、上記各スイッチ操作用押釦６が挿通され、これらスイッチ操作用押釦６が出没操作される透孔である。
【００６１】
そして、上記外筐補強部材３２は、透明な合成樹脂材料により形成され、一部分によって、上記前面パネル部３に設けられこの前面パネル部３の後方側部分の前方側よりの目視を可能とする目視用透孔１４を閉蓋している。この目視用透孔１４とこの目視用透孔１４を閉蓋している上記外筐補強部材３２の一部とは、目視用窓７を構成している。
【００６２】
上記目視用窓７の後方側となる上記外筐体内には、いわゆる液晶表示デバイス（ＬＣＤ）からなる図示しない表示装置が配設される。この表示装置は、この音響再生装置において実行中の動作モードや、上記磁気テープの走行状況等を表示するものである。この表示装置は、上記目視用窓７を透して、前方側より目視することができる。
【００６３】
上記外筐補強部材３２は、上記目視用透孔１４の周囲部となる位置にも、補強用突条部６８，６９を有している。
【００６４】
上記各補強用突条６８，６９，７０は、図１１に示すように、上記前面パネル部３の背後に位置して上記外筐体内に配設された電子回路基板７３に当接している。すなわち、これら補強用突条６８，６９，７０は、上記前面パネル部３と上記電子回路基板７３との間に所定の空隙部が確保されるようにこれら前面パネル部３及び上記電子回路基板７３を支持している。
【００６５】
また、上記外筐補強部材３２は、一部により、上記前面パネル部３に設けられたＬＥＤ用透孔３４をも閉蓋している。このＬＥＤ用透孔３４は、上記目視用透孔１４の近傍であって上記外筐体内に配設される発光素子（ＬＥＤ）に対向する位置に設けられている。この発光素子は、この音響再生装置の動作状態等を表示するためのものである。
【００６６】
上記ＬＥＤ用透孔３４とこのＬＥＤ用透孔３４を閉蓋する上記外筐補強部材３２の一部とは、ＬＥＤ用窓を構成している。
【００６７】
さらに、上記外筐補強部材３２は、図１２に示すように、バネ掛け部６６及び一対のスイッチ操作釦支持部６４，６４を一体的に形成されて有している。
【００６８】
上記バネ掛け部６６には、上記外筐体にスライド可能に支持されたスイッチ用スライダ４１を付勢するための捻りコイルバネ４４のコイル部が掛止される。
【００６９】
上記スライダ４１は、背面部に支持突起４２を有し、この支持突起４２を上記前面パネル部３の側壁部に設けられたスライダ用透孔６２に挿通させて、スライド可能に支持されている。また、このスライダ４１は、背面部にバネ掛止突起４３を有している。このバネ掛止突起４３は、上記捻りコイルバネ４４の一対のアーム部４５，４６に挟持される。
【００７０】
また、上記外筐補強部材３２は、上記各アーム部４５，４６の間に位置する保持突起６７を有している。
【００７１】
上記スライダ４１は、図１２中矢印Ｄで示すように、上記前面パネル部３に対してスライド操作されると、中心位置よりいずれの方向にスライドされても、上記各アーム部４５，４６のいずれかを変位させることとなり、該中央位置に復帰する方向に付勢される。
【００７２】
また、上記各スイッチ操作釦支持部６４，６４は、後述するように、上記前面パネル部３の側縁部に設けられたスイッチ操作釦用透孔４７に対して出没操作されるスイッチ操作釦３５を移動可能に支持する。
【００７３】
［４］スイッチ操作釦の構成（図１０、図１２及至図１５）
上記スイッチ操作釦３５は、図１０及び図１３に示すように、可撓性を有する合成樹脂材料により、一方側部分が回動軸部３６となされ、他方側部分を押圧部３８となされて、一体的に形成されている。
【００７４】
このスイッチ操作釦３５は、図１４に示すように、上記回動軸部３６を上記外筐体のシャーシ部２に形成された回動支持部７５により回動可能に支持され、上記押圧部３８を該外筐体内に配設された押圧スイッチ７４に対向させて、上記前面パネル部３の側壁部の内側部に沿って配設されている。このスイッチ操作釦３５は、上記押圧部３８を上記前面パネル部３の側壁部の内側部に対して接離させる方向に回動可能となされている。
【００７５】
また、このスイッチ操作釦３５は、上記外筐体の外方側に向けた面部であって上記回動軸部３６と上記押圧部３８との中途部となる位置に、押圧操作部３７が突設されている。この押圧操作部３７は、上記前面パネル部３の側壁部に設けられたスイッチ操作釦用透孔４７に挿通され、このスイッチ操作用透孔４７に対して出没可能となされている。
【００７６】
そして、このスイッチ操作釦３５は、上記押圧部３８の近傍より、上記外筐体の内方側に向けて一体的に突設された一対の弾性変位部３９，３９を有している。これら弾性変位部３９，３９の先端側には、被支持部４０が一体的に形成されている。
【００７７】
この被支持部４０は、上記外筐補強部材３２の各スイッチ操作釦支持部６４，６４間に挟持されて、この外筐補強部材３２により保持される。また、この外筐補強部材３２の上記被支持部４０の先端部に当接する位置には、位置決め突起６３が突設されている。さらに、上記外筐補強部材３２は、上記各弾性変位部３９，３９の両側側となる位置に、一対の位置規制突起６５，６５を有している。
【００７８】
上記スイッチ操作釦３５は、上記押圧操作部３７を上記外筐体の内方側方向に押圧されると、図１５において矢印Ｅで示すように、上記各弾性変位部３９，３９を弾性変位させつつ、上記回動軸部３６回りに回動操作され、上記押圧部３８により上記押圧スイッチ７４を押圧操作する。
【００７９】
そして、上記スイッチ操作釦３５は、上記押圧操作部３７に対する押圧操作が解除されると、上記各弾性変位部３９，３９の弾発力及び上記押圧スイッチ７４の復元力により、図１４に示す初期位置に戻る。
【００８０】
［５］カセット蓋部の構成（図１及至図４、図１８及至図２０）
上記カセット蓋部４は、上述のように、上記カセット蓋支軸８７により、上記シャーシ部２に対して回動可能に支持されている。そして、このカセット蓋４は、図１８に示すように、内枠部材１２３を有している。この内枠部材１２３は、上記カセット蓋部４の内側部分に嵌入された状態で配設されている。
【００８１】
上記内枠部材１２３の上記カセット蓋支軸８７の近傍となる位置には、図１８及び図１９に示すように、上記シャーシ部２側に向けて突出されるようにして、板バネ部材８８が配設されている。一方、上記シャーシ部２には、上記カセット蓋支軸８７の近傍であって上記板バネ部材８８に対応する位置に、規制部材８９が配設されている。
【００８２】
上記規制部材８９は、図１９中矢印Ｍで示すように、上記カセット蓋部４が閉蓋操作されるときには、上記板バネ部材８８に当接係合し、この板バネ部材８８を、図１９中矢印Ｊで示すように、上記シャーシ部２側、すなわち、上記カセット蓋支軸８７側に弾性変位させる。この板バネ部材８８が上記カセット蓋支軸８７側に弾性変位されることにより、上記カセット蓋部４は、図１９中矢印Ｋで示すように、一側側部分を上記シャーシ部２側に引き付けられる。
【００８３】
したがって、このとき、上記カセット蓋部４の一側側部分は、上記シャーシ部２との間に、空隙を生じさせない状態に保持される。
【００８４】
上記カセット蓋部４が開蓋されて上記シャーシ部２より離間されるときには、上記板バネ部材８８は、上記規制部材８９に対して摺接しつつ移動し、該カセット蓋部４が上記開蓋位置に至ると、この規制部材８９より離間する。
【００８５】
上記カセット蓋部４が開蓋されるとき、上記内枠部材１２３は、側縁部分に設けられた係合凹部１２５内に上記カセットホルダ８３の側縁部に突設された係合片１２６を掛合させ、上記カセットホルダ８３を引き上げて回動させる。上記掛合片１２６が上記掛合凹部１２５内に位置することにより、上記カセットホルダ８３は、上記カセット蓋部４より、このカセットホルダ８３に対する上記テープカセット１０１の挿入が容易となる程度の所定の距離だけ離間される。
【００８６】
なお、上記板バネ部材８８と上記規制部材８９とは、互いの位置関係を入れ替えて構成してもよい。すなわち、この音響再生装置は、上記板バネ部材８８を上記シャーシ部２に取り付け、上記規制部材８９を上記カセット蓋部４の内枠部材１２３に取り付けて構成してもよい。
【００８７】
そして、上記カセット蓋部４は、図２０において矢印Ｍで示すように、閉蓋操作されたときには、一側側の縁部分を上記外筐体の本体部の外側面部に重ねる。すなわち、上記前面パネル部３の上記カセット蓋支軸８７側の縁部分には、略々この縁部分の全幅に亘って、舌片部９１が突設されている。この舌片部９１は、上記外筐体の内方側に向けて、やや屈曲されて形成されている。
【００８８】
閉蓋操作された上記カセット蓋部４は、一側側の縁部分を、上記舌片部９１の外側側に位置させ、図２０中矢印Ｌで示す所定の幅に亘って、この舌片部９１に対してオーバーラップさせる。
【００８９】
したがって、上記カセット蓋部４が閉蓋位置となされたとき、このカセット蓋部４と上記前面パネル部３との間には、空隙が生ずることがない。
【００９０】
［６］シャーシ部の構成（図２１及至図２５）
上記シャーシ部２は、図２２に示すように、合成樹脂材料よりなるフレーム８５と、このフレーム８５が取り付けられるシャーシ９２とから構成されている。上記フレーム８５は、射出成型手段により、枠状の形状を有して一体的に形成されている。
【００９１】
上記シャーシ９２は、金属板材料により略々平板状に形成され、電子回路基板７３が取り付けられる。この電子回路基板７３には、電子回路を構成する複数の電子素子及びモータが取り付けられている。また、上記シャーシ９２には、上記モータの駆動力を上記各リール駆動軸４８，４９及び上記各キャプスタン軸５１，５１に伝達するための複数のギヤが回転可能に取り付けられている。
【００９２】
上記フレーム８５には、この音響再生装置の駆動電源を供給する電池を保持するバッテリーホールド部となる第１及び第２のバッテリーホールド壁９４，９６が一体的に形成されている。すなわち、これら各バッテリーホールド壁９４，９６は、上記フレーム８５の枠状の部分より内方側に向けて互いに連設されて突設され、略々Ｌ字型の壁部をなし、該枠状の部分の角部分と共働して、略々矩形の電池室１００を構成している。
【００９３】
上記フレーム８５の上記電池室１００の一端側に対応する位置には、切り欠き部９３が形成されている。この切り欠き部９３は、図１及至図４に示すように、上記前面パネル部３の側壁部に形成された電池挿入スリット７１に対応している。この電池挿入スリット７１は、電池室蓋７２により、開閉可能に閉蓋されている。
【００９４】
すなわち、上記電池室１００には、上記電池室蓋７２が開蓋されることにより、上記電池挿入スリット７１を介して、電池が挿入操作される。
【００９５】
上記電池室１００内には、上記電子回路基板７３上の電源供給ランド部に接続されるとともにこの電池室１００内に挿入操作された電池の電極に接触する図示しない端子が設けられている。
【００９６】
上記第２のバッテリーホールド壁９６は、一対のネジ止め片部９９，９９を有し、これらネジ止め片部９９，９９を一対の止めネジ９７，９８により対応して上記シャーシ９２に取り付けられることにより、該シャーシ９２上に固定されている。
【００９７】
そして、上記第１のバッテリー壁９４と上記第２のバッテリーホールド壁９６との間の部分は、可撓変位部９５となされている。この可撓変位部９５は、上記各バッテリーホールド壁９４，９６よりもやや肉薄に形成されて弾性変位可能となされ、該第２のバッテリーホールド壁９６を上記第１のバッテリーホールド壁９４に対して可撓的に変位可能としている。
【００９８】
上記フレーム８５の側壁部分には、上記係止解除レバー１０が取り付けられるための解除レバー用透孔８５ａが開設されている。
【００９９】
ところで、上記フレーム８５は、射出成型されたときには、図２１に示すように、上記第２のバッテリーホールド壁９６を上記枠状の部分より離間させた形状として、形成される。そして、このフレーム８５は、図２１中矢印Ｎで示すように、上記可撓変位部９５を可撓変位され、上記第２のバッテリーホールド壁９６の先端部を上記枠状の部分に当接させた状態で、上記シャーシ９２に取り付けられている。
【０１００】
上記フレーム８５を射出成型するための金型のコアとしては、図２３に示すように、上記第２のバッテリーホールド壁９６を上記枠状の部分より離間した状態で形成するためのキャビティ部１０４を有するものを用いる。このキャビティ部１０４には、ランナー部を形成することとなるランナー形成部１０３が連通されている。このランナー形成部１０３内には、樹脂流入口１０５を介して、熔融された合成樹脂材料が射出される。
【０１０１】
また、上記コア１０２は、上記解除レバー用透孔８５ａを形成するための、図２４及び図２５に示すスライドコア１０９，１０９が挿入されるスライドコア挿入孔１０７が設けられている。このコア１０２に挿入されるスライドコア１０８，１０９は、簡素な形状のものであり、図２４中の矢印Ｏ及び図２５中の矢印Ｐで示すように、上記コア１０２に対して挿入及び抜き取り操作される。
【０１０２】
［７］チューナ基板の取り付け（図１６及び図１７）
上記カセット蓋部４の内側面部には、図１６に示すように、プリント回路基板であるチューナ基板７６が取り付けられている。
【０１０３】
このチューナ基板７６には、上記カセット蓋部４に対向する側の主面部に、電子回路を構成する複数の電子素子７８，７９が取り付けられている。このチューナ基板７６上の電子回路は、ラジオ受信回路を構成しており、上記本体部側の電子回路基板に接続されている。
【０１０４】
そして、上記カセット蓋部４の上記チューナ基板７６上の電子素子７８，７９に対応する位置には、図１７に示すように、凹部が形成されている。
【０１０５】
上記カセット蓋部４の図１７中矢印Ｆで示す厚みは、１．５ｍｍとなっている。そして、上記凹部の深さは、０．７ｍｍであり、この凹部が設けられている部分における上記カセット蓋部４の厚みは、０．８ｍｍとなっている。
【０１０６】
上記凹部の周囲部には、上記外筐体の内方側に向けて補強用のリブ８１が突出形成され、上記カセット蓋部４の剛性が維持されている。また、上記カセット蓋部４からは、基板受け突起８２が一体的に突設されている。この基板受け突起８２の高さは、１．９ｍｍであり、上記凹部の底面部より該基板受け突起８２の先端部までの距離、すなわち、図１７中矢印Ｇで示す該凹部の底面部より上記チューナ基板７６までの距離は、２．６ｍｍとなっている。
【０１０７】
上記チューナ基板７６の厚さは、０．５ｍｍである。このチューナ基板７６の上記外筐体の内方側に臨む裏面部には、カバー板７７が接着されて取り付けられている。このカバー板７７は、合成樹脂材料よりなるシート状の部材であり、厚さが０．３ｍｍである。
【０１０８】
したがって、上記カセット蓋部４の外側側の表面部より上記カバー板７７の内側側の面部までの図１７中矢印Ｈで示す厚さは、４．２ｍｍである。すなわち、この音響再生装置においては、上記凹部の深さの分だけ、上記カセット蓋部４と上記チューナ基板７６とにより構成される蓋部分の厚さが薄くなされている。
【０１０９】
【発明の効果】
上述のように、本発明に係る携帯用電子機器においては、外筐体に内蔵された電子回路を覆うように開閉自在に設けられた蓋体の該電子回路と対向する主面部に凹部が形成されており、蓋体に対向する側の主面に電子素子が設けられ蓋体の凹部が形成された主面に取り付けられた電子回路基板は、当該電子素子を凹部内に収納させており、さらに、凹部の周囲部には、電子回路基板受け突起が一体的に突設されたリブが外筐体の内方側に向けて突出形成されている。
【０１１０】
そのため、この携帯用電子機器においては、蓋体の剛性を維持しつつ、蓋体より電子回路基板までの厚さを、これら蓋体、電子素子及び電子回路基板の厚みの総計よりも薄くすることができる。
【０１１１】
すなわち、本発明は、記録媒体を装着操作するための蓋体を有し、この蓋体の内側面部に電子回路基板を有しながらも、これら蓋体及び電子回路基板を有する蓋部の厚みが薄くなされることにより、薄型化が実現されることとなされた携帯用電子機器を提供することができるものである。
【図面の簡単な説明】
【図１】本発明に係る携帯用電子機器の構成を示す斜視図である。
【図２】上記携帯用電子機器のホールド状態における構成を示す斜視図である。
【図３】上記携帯用電子機器の要部となる前面パネル部の構成を示す分解斜視図である。
【図４】上記前面パネル部の背面側の構成を示す分解斜視図である。
【図５】上記前面パネル部の背面側の構成を示す拡大正面図である。
【図６】上記前面パネル部の背面側のホールド解除状態における構成を示す拡大正面図である。
【図７】上記前面パネル部の構成を示す縦断面図である。
【図８】上記携帯用電子機器を構成するスライダ板の形状の他の例を一部を破断して示す斜視図である。
【図９】上記携帯用電子機器のテープカセットを収納する部分の側の構成を示す斜視図である。
【図１０】上記前面パネル部の背面側の要部の構成を示す分解斜視図である。
【図１１】上記前面パネル部に取り付けられた外筐補強部材の要部の形状を示す縦断面図である。
【図１２】上記外筐補強部材の要部の形状を示す要部平面図である。
【図１３】上記外筐補強部材により支持されるスイッチ操作釦の形状を示す斜視図である。
【図１４】上記外筐補強部材により支持された状態のスイッチ操作釦を示す縦断面図である。
【図１５】上記スイッチ操作釦が押圧操作された状態を示す縦断面図である。
【図１６】上記携帯用電子機器のカセット蓋の構成を示す分解斜視図である。
【図１７】上記カセット蓋の要部の構成を示す要部縦断面図である。
【図１８】上記カセット蓋を支持する回動支軸の構成を一部を透視して示す側面図である。
【図１９】上記カセット蓋の回動支軸近傍の構成を示す要部側面図である。
【図２０】上記カセット蓋の回動支軸側の構成を示す要部側面図である。
【図２１】上記携帯用電子機器のシャーシ部を構成するフレームの形状を示す斜視図である。
【図２２】上記フレームがシャーシに取り付けられた状態を示す斜視図である。
【図２３】上記フレームを射出成型するための金型の要部の形状を示す平面図である。
【図２４】上記金型を構成する第１のスライドコアの形状を示す側面図である。
【図２５】上記金型を構成する第２のスライドコアの形状を示す側面図である。
【図２６】従来のスイッチ操作釦の構成を示す縦断面図である。
【図２７】従来のカセット蓋の構成を示す要部縦断面図である。
【符号の説明】
２  シャーシ部
３  前面パネル部
４  カセット蓋
７６  チューナ基板
７８，７９  電子素子
【図１】
0003551505.tif 000002
【図２】
0003551505.tif 000003
【図３】
0003551505.tif 000004
【図４】
0003551505.tif 000005
【図５】
0003551505.tif 000006
【図６】
0003551505.tif 000007
【図７】
0003551505.tif 000008
【図８】
0003551505.tif 000009
【図９】
0003551505.tif 000010
【図１０】
0003551505.tif 000011
【図１１】
0003551505.tif 000012
【図１２】
0003551505.tif 000013
【図１３】
0003551505.tif 000014
【図１４】
0003551505.tif 000015
【図１５】
0003551505.tif 000016
【図１６】
0003551505.tif 000017
【図１７】
0003551505.tif 000018
【図１８】
0003551505.tif 000019
【図１９】
0003551505.tif 000020
【図２０】
0003551505.tif 000021
【図２１】
0003551505.tif 000022
【図２２】
0003551505.tif 000023
【図２３】
0003551505.tif 000024
【図２４】
0003551505.tif 000025
【図２５】
0003551505.tif 000026
【図２６】
0003551505.tif 000027
【図２７】
0003551505.tif 000028